(57)【要約】【課題】  藺草苗の根は稲苗よりも強く、苗移植機で藺草のマット苗から一株分の苗を分離針で掻き取る際に分離し難く、掻き取りミスが生じたり一株分より多く掻き取ったりして植付姿勢が乱れることが有る。そこで、本発明は苗移植機で取り扱い易いマット状の藺草苗を栽培する藺草用育苗箱を提供することを課題とする。【解決手段】長方形の苗箱１の底部に長手方向に向かって複数の突条２を設けると共に、該突条２に沿って底板３を貫通する透孔４を設けて藺草用育苗箱を構成した。【選択図】図２
2011110018.tif 000002
【特許請求の範囲】
【請求項１】
長方形の苗箱（１）の底部に長手方向に向かって複数の突条（２）を設けると共に、該突条（２）に沿って底板（３）を貫通する透孔（４）を設けた藺草用育苗箱。
【請求項２】
苗箱（１）の周囲を囲う箱枠（５）の内側に沿って周透孔（６）を設けてなる請求項１に記載の藺草用育苗箱。
【請求項３】
底板（３）を貫通する透孔（４）と周透孔（６）を長手方向に一定間隔で並ぶ孔列で構成した請求項１或いは請求項２に記載の藺草用育苗箱。
【請求項４】
苗箱（１）の底部に突条（２）に向かう複数の筋状の溝（７）を形成してなる請求項１乃至請求項３に記載の藺草用育苗箱。
【発明の詳細な説明】
【技術分野】
【０００１】
本発明は、藺草移植機で取り扱い易い藺草のマット苗を栽培する藺草用育苗箱に関する。
【背景技術】
【０００２】
育苗箱は、実開昭６４−１７１５０号公報や実開平７−３０６３４号公報に記載されているように、底部に水の偏りを防ぐ縦横の突条を設け、底板に水を流す透孔を設けた構成である。
【先行技術文献】
【特許文献】
【０００３】
【特許文献１】実開昭６４−１７１５０号公報
【特許文献２】実開平７−３０６３４号公報
【発明の概要】
【発明が解決しようとする課題】
【０００４】
藺草苗の根は稲苗よりも強く、苗移植機で藺草のマット苗から一株分の苗を分離針で掻き取る際に分離し難く、掻き取りミスが生じたり一株分より多く掻き取ったりして植付姿勢が乱れることが有る。
【０００５】
そこで、本発明は苗移植機で取り扱い易いマット状の藺草苗を栽培する藺草用育苗箱を提供することを課題とする。
【課題を解決するための手段】
【０００６】
上記本発明の課題は、次の技術手段により解決される。
請求項１に記載の発明は、長方形の苗箱１の底部に長手方向に向かって複数の突条２を設けると共に、該突条２に沿って底板３を貫通する透孔４を設けて藺草用育苗箱を構成した。
【０００７】
この構成で、この藺草用育苗箱１で育てたマット状の藺草苗は、突条２に沿って一部の根が透孔から底板を通って下方に伸びているので、この底板３底部に伸びる根を底板３の外側で切り取って苗をマット状に剥がして移植用マット苗とすることが出来る。
【０００８】
請求項２に記載の発明は、苗箱１の周囲を囲う箱枠５の内側に沿って周透孔６を設けてなる請求項１に記載の藺草用育苗箱に構成した。
この構成で、この藺草用育苗箱で育てたマット状の藺草苗は、箱枠５に達した根が周透孔６から底板３を通って下方に伸びているので、この底板３底部に伸びる根を底板３の外側で切り取って苗をマット状に剥がして移植用マット苗とすることが出来る。
【０００９】
請求項３に記載の発明は、底板３を貫通する透孔４と周透孔６を長手方向に一定間隔で並ぶ孔列で構成した請求項１或いは請求項２に記載の藺草用育苗箱とした。
この構成で、藺草用育苗箱の底板３の強度が透孔４と周透孔６で弱くなることが無い。
【００１０】
請求項４に記載の発明は、苗箱１の底部に突条２に向かう複数の筋状の溝７を形成してなる請求項１乃至請求項３に記載の藺草用育苗箱とした。
この構成で、藺草苗の根が溝７に沿って突条２に向かって成長して、根が複雑に絡み合うことが無い。
【発明の効果】
【００１１】
請求項１に記載の発明で、この苗箱１で育てたマット状藺草苗は、突条２位置に沿った底部で根の一部が切り取られているので、苗移植機の分離針での掻き取り時に突条２位置で分離しやすく苗株の掻き取りがスムースに行われて、植え付けが支障なく継続できる。
【００１２】
請求項２に記載の発明で、この苗箱１で育てたマット状藺草苗は、箱枠５に達した周囲の根が切り取られて絡まりがなくなっているので、苗移植機の分離針での掻き取り時に分離しやすく植え付けが支障なく継続できる。
【００１３】
請求項３に記載の発明で、透孔４と周透孔６から根が下方へ伸びるのを妨げられず、苗箱１の強度も弱くならない。
請求項４に記載の発明で、この苗箱１で育てたマット状藺草苗は、根が突条２に向かっているので、絡まりが少なく、苗移植機の分離針でマット苗から一株分の苗が掻き取り易くなる。
【図面の簡単な説明】
【００１４】
【図１】（ａ）、（ｂ）、（ｃ）藺草苗育成の作業手順を示す側断面図である。
【図２】育苗箱の平面図である。
【図３】育苗箱の側断面図である。
【図４】（ａ）、（ｂ）育苗箱の一部拡大断面図である。
【図５】別の育苗形態を示す側断面図である。
【図６】さらに別の育苗形態を示す側断面図である。
【図７】さらに別の育苗形態を示す側断面図である。
【発明を実施するための形態】
【００１５】
以下、本発明の実施形態を図面に示す実施例を参照しながら説明する。
育苗過程を図１で時間の経過とともに説明すると、まず、１２月に稚苗を一面に２００個のポット状小苗穴１１を形成した２００穴トレイ１０の小苗穴１１に植え付け、畑において育てる。次に、５月中に前記小苗穴１１よりも孔径の大きなポット状中苗穴１３を形成した１２８穴トレイ１２の中苗穴１３に小苗穴１１から抜き出した苗を差し込み周囲に土を供給して苗を安定し、この１２８穴トレイ１２を水プールに浸けて育苗する。
【００１６】
さらに、７月中に前記中苗穴１３よりも孔径の大きなポット状大苗穴１５形成した５０穴トレイ１４に、中苗穴１３から抜き出した苗をその根鉢の約半分を水平に切断して、大苗穴１５に差し込み周囲に土を供給して苗を安定し、この５０穴トレイ１４を８月まで水プールに浸けて育苗し、その後畑において育てる。根鉢の約半分を水平に切断することで、過密な根巻を防ぎ、活着を良くし、底面が広がって植付姿勢を安定する。
【００１７】
その後、９月に大苗穴１５から苗を抜き出して土を除き、二株程度に分割し、苗挿し機に供給して図２に示す苗箱１に苗を本植付時に使用する苗移植機の植付間隔で移植して１１月までマット苗に育てる。
【００１８】
以上の藺草苗の増殖方法であれば、従来の圃場で苗を育てる方法と比較して、９月に行う株割が楽に行えて作業能率が向上する。なお、一時期苗を畑において育てるのは、水を切ることで根が太く丈夫になるためである。
【００１９】
次に、苗箱１の説明をすると、苗箱１の底部に長手方向の突条２を複数設け、この突条２の外側に沿って底板３を貫通する透孔４を設けている。この透孔４は、連続していても短い穴を並べて構成しても良く、短い穴の連続の方が苗箱１の剛性を高める。透孔４は突条２の内側に設けても良い。
【００２０】
突条２は、根が横に張るのを規制し、苗移植機の分離針でマット苗から一株分の株を掻き取り易くするので、突条２の配置間隔を狭くすると株の掻き取りが容易になる。また、透孔４や周透孔６の孔径を大きくしたり穴ピッチを狭くすることで底板３から下方へ伸びる根を多くして、この根を切ったマット苗の株の掻き取りが容易になるが、苗箱１の剛性が低下しない程度かつマット苗の一体性を維持する程度で、透孔４や周透孔６の孔径と穴ピッチを決定する。
【００２１】
透孔４の断面形状は、図４（ａ）の如くすり鉢状にしたり（ｂ）の如く段付きすり鉢状にしたりすることで、粉状培土が流れ難く、透孔４を通って下に伸びた根を切り易くなる。
【００２２】
また、苗箱１の底板３上面には突条２に向かう網状の細かい溝（シボ）７を設けて根が突条２を乗り越えて透孔４から底に伸びるようにしている。
また、苗箱１の周囲を囲む箱枠５の底部にも前記透孔４と同様の周透孔６を設ける。
【００２３】
以上の如く構成した苗箱１でマット苗を育てて、苗移植機に供給する際に、苗箱１の底面から下方に伸びた根を切断し、マット苗を苗箱１から剥ぎ取って、苗移植機に供給し圃場へ定植する。
【００２４】
苗箱１の培土は、底に粉末ピートのような軽い有機粉末を入れ、その上層に粉末粘土を入れると、苗箱１全体が軽くなりプールに浸けた際に有機粉末が流れ出さず、培土に株を挿しやすくなる。
【００２５】
上記の苗増殖方法の他に、図５に示す如く、水槽１６に被せたシート状或いは板状の苗支持体１７に苗を挿して水耕栽培する方法もある。この場合には苗の成長に伴って株分けを数回繰り返す。
【００２６】
この水耕栽培は、図６の如く、苗容器１８の底部に発根防止シート１９を敷き、凹凸苗支持体１７で苗を支持して、苗容器１８をプール１６に浸ける方法もある。発根防止シート１９に肥料を塗布する。
【００２７】
また、図７に示す如く、苗容器１８内に分離容器２０を置き、各分離容器２０内に苗を苗支持体１７で支持する方法もある。この場合には、分離容器２０に緩効性肥料を塗布する。
【００２８】
なお、苗の植え替え時に苗を発根促進剤（オキシベロン等）に浸けたり、培養液の溶融酸素濃度を高めたりすることによって、根の発根や成長を促進する。
【符号の説明】
【００２９】
１  苗箱
２  突条
３  底板
４  透孔
５  箱枠
６  周透孔
【図１】
2011110018.tif 000003
【図２】
2011110018.tif 000004
【図３】
2011110018.tif 000005
【図４】
2011110018.tif 000006
【図５】
2011110018.tif 000007
【図６】
2011110018.tif 000008
【図７】
2011110018.tif 000009